(57)【要約】【課題】アンテナ線が断線を起こし難く、使い勝手の良い、モジュール基板の新しい搭載方法を考える。【解決手段】外周にアンテナ線１４を巻回し、その巻回したアンテナ線１４と接続するＩＣモジュール基板１を内周に取り付けたリング部材１１を、そのリング部材１１のモジュール基板１を収容するホルダー部１９を一方に形成したコネクター部材１２で係止するとともに、コネクター部材１２の他方に取り付け紐１７を取り付けて、携帯電話などに取り付けられるようにする。こうすることで、アンテナ線１４はリング部材１１によって支持されるので断線を起こし難く、組み立てが容易にできる。また、携帯電話などに取り付ければ、紛失や携帯を忘れないようにできるので使い勝手もよくできる。【選択図】　図１
2004062382.tif 000002
【特許請求の範囲】
【請求項１】
リング部材とリング部材を係止するコネクター部材とで構成され、
前記リング部材は、外周にアンテナ線が巻回され、内周には、ＲＦ機能を搭載し、前記アンテナ線と接続されたＩＣモジュール基板が一側を係止されて取り付けられており、
前記コネクター部材は、一方にストラップベルトあるいは取り付け紐を取り付けるとともに、他方にリング部材に吊り下げられたモジュール基板を収容し、かつ、モジュール基板を吊り下げたリング部材に係合するホルダー部を形成したＩＣリング。
【請求項２】
上記ホルダー部がＩＣモジュール基板とそのＩＣモジュール基板を吊り下げたリング部材とを収容する嵌合溝を形成したベースと、その溝を覆う蓋部材とからなり、前記蓋部材にモジュール基板との隙間を埋めるスペーサが形成されている請求項１に記載のＩＣリング。
【請求項３】
上記コネクター部材の一方に取り付けられたストラップベルトあるいは取り付け紐に代えて嵌入孔を設け、その嵌入孔にストラップベルトあるいは取り付け紐を取り付けたプラグ部材を着脱自在に取り付けられるようにした請求項１または２に記載のＩＣリング。
【請求項４】
上記ＩＣモジュール基板が認証機能を搭載した請求項１乃至３のいずれかに記載のＩＣリング。
【請求項５】
上記ＩＣモジュール基板が決裁機能を搭載した請求項１乃至３のいずれかに記載のＩＣリング。
【請求項６】
上記ＩＣモジュール基板が暗号機能を搭載した請求項１乃至３のいずれかに記載のＩＣリング。
【発明の詳細な説明】
【０００１】
【発明の属する利用分野】
この発明は、ＩＣカードに代えて広範囲に使用できるＩＣリングに関するものである。
【０００２】
【従来の技術】
ＩＣカードは、搭載したＩＣモジュール基板にＣＰＵを内蔵したことにより、アクセス管理、データ管理などはいうまでもなく、暗号化アルゴリズムなども実行させることができる。そのため、高機能であるばかりでなく、安全面でも優れている。また、ＩＣモジュール基板にメモリも搭載しているので、データのキャリアとしても他の種類のカードに比べて優れている。
【０００３】
さらに、図７に示すように、表面基材で覆われるカード内に、ＲＦ機能を搭載したＩＣモジュール基板１とアンテナコイル２を設け、前記アンテナ２でリーダ／ライタとの間で微弱な電波を送受信させて非接触化を図ることもできる。
【０００４】
その際、電力は受信した電波を整流して得るようにしており、バッテリーレス化も図れる。
【０００５】
【発明が解決しようとする課題】
ところで、上記のように微弱な電波を送受信するためには、アンテナの利得を上げる必要がある。そのためには、アンテナのターン数を多くしなければならない。
【０００６】
ところが、カードの大きさは限られているので、アンテナのターン数を多くするためには、アンテナ線を細くしなければならない。
【０００７】
しかしながら、細いアンテナ線は断線しやすく、取扱いにも注意が必要で組み立て時の歩留りも悪くなるという構造上の問題があった。
【０００８】
また、ＩＣカードは薄くて小さいので携帯には便利であるが、逆に、薄くて小さいので紛失し易い問題もある。
【０００９】
そこで、この発明の課題は、ＩＣカードに代わり、アンテナ線が断線を起こし難く使い勝手の良い、モジュール基板の新しい搭載方法を考えることである。
【００１０】
【課題を解決するための手段】
上記の課題を解決するため、この発明では、リング部材とリング部材を係止するコネクター部材とで構成され、前記リング部材は、外周にアンテナ線が巻回され、内周には、ＲＦ機能を搭載し、前記アンテナ線と接続されたＩＣモジュール基板が一側を係止されて取り付けられており、前記コネクター部材は、一方にストラップベルトあるいは取り付け紐を取り付けるとともに、他方にリング部材に吊り下げられたモジュール基板を収容し、かつ、モジュール基板を吊り下げたリング部材に係合するホルダー部を形成した構成を採用したのである。
【００１１】
このような構成を採用することにより、アンテナ線を巻回したリング部材は、芯材としてアンテナ線を支持するので、支持されたアンテナ線は、断線を起こしにくくなる。そのため、取扱いも容易になり、組み立て時の歩留りも向上させることができる。その際、アンテナ線と接続されたＩＣモジュール基板は、リング部材を係止するコネクター部材のホルダー部に収容されているので、衝撃などからＩＣモジュール基板を保護することができる。また、コネクター部材にストラップあるいは取り付け紐を設けたことにより、例えば、ストラップによって首から下げたり、手に嵌めたり、あるいは、取り付け紐によって携帯電話やバッグなどのストラップ代わりに使用して携行できるので、紛失を防ぐことができ、使い勝手も良くできる。
【００１２】
このとき、上記ホルダー部がＩＣモジュール基板とそのＩＣモジュール基板を吊り下げたリング部材とを収容する嵌合溝を形成したベースと、その溝を覆う蓋部材とからなり、前記蓋部材にモジュール基板との隙間を埋めるスペーサが形成されている構成を採用することができる。
【００１３】
このような構成を採用することにより、スペーサによってＩＣモジュール基板を固定することで、ＩＣモジュール基板を例えば、携行時の衝撃や振動による破損から保護できる。
【００１４】
また、このとき、上記コネクター部材の一方に取り付けられたストラップベルトあるいは取り付け紐に代えて嵌入孔を設け、その嵌入孔にストラップベルトあるいは取り付け紐を取り付けたプラグ部材を着脱自在に取り付けられるようにした構成を採用することができる。
【００１５】
このような構成を採用することにより、ストラップベルトを取り付けたプラグ部材と取り付け紐を取り付けたプラグ部材を付け替えるだけで、同じＩＣリングを首からさげたり、携帯電話やカバンにつけたりと、自分に合った携行方法が選べる。このため、例えば、携帯電話やカバンと一緒に持ち歩けるので、紛失などのトラブルを防ぐことができる。
【００１６】
また、このとき、上記ＩＣモジュール基板が認証機能を搭載した構成を採用することができる。
【００１７】
このような構成を採用することにより、認証用のカードの代わりに使用することができる。
【００１８】
また、上記ＩＣモジュール基板が決裁機能を搭載した構成を採用することができる。
【００１９】
このような構成を採用することにより、クレジットや電子マネーなどの決裁カードの代わりとして使用できる。
【００２０】
さらに、上記ＩＣモジュール基板が暗号機能を搭載した構成を採用することにより、セキュリティーを向上させたカードの代わりとして使用することができる。
【００２１】
【発明の実施の形態】
以下、この発明の実施の形態を図面に基づいて説明する。
【００２２】
図１に示す、この形態のＩＣリング１０は、リング部材１１とそのリング部材１１を係止するコネクター部材１２とで構成されている。
【００２３】
リング部材１１は、外周に溝１３を形成して、その溝１３にアンテナ線１４を巻回するようになっている。また、リング部材１１には、ＩＣモジュール基板１を取り付けるためのガイド１５が設けられている。前記ガイド１５は、図２のように、２本の突条を所定の間隔を置いてリング部材１１の厚み方向に形成したもので、突条の間に、ＩＣモジュール基板１がセットされるようになっている。
【００２４】
このＩＣモジュール基板１は、マイクロプロセッサとＲＯＭ及びＲＡＭを備えたコンピュータで、アプリケーションソフトにより、認証機能、決裁機能及び暗号機能を用途に応じて搭載できるようになっている。
【００２５】
例えば、認証機能は、使用者のプロファイル、ＩＤコードやパスワードなどを記憶して応答することで、認証用のカードの代わりに使用することができる。また、決裁機能では、預金通帳の内容などを処理できるようにしたり、クレジットや電子マネーなどの決裁カードの代わりとして使用することができる。さらに、暗号機能では、暗号化アルゴリズムを備えることにより、セキュリティーを向上させたカードの代わりとして使用することができる。
【００２６】
また、ＩＣモジュール基板１は、送受信用のＲＦ機能（無線機能）を搭載しており、そのため、リング部材１１の外周から内周に向けて細い２本の溝１６を設け、その溝１６を介して外周に巻回したアンテナ線１４をガイド１５のＩＣモジュール基板１と接続できるようにしている。その結果、アンテナ線１４を接続したＩＣモジュール基板１は、一側がリング部材１１の内周に係止されるようになっている。
【００２７】
一方、コネクター部材１２は、一方の端部に取り付け紐１７を設け、他方にホルダー部１９を設けたもので、ホルダー部１９は、ベース２０と、蓋部材２１とで構成されている。
【００２８】
このベース２０は、横方向に形成された嵌合溝２２と縦方向に形成された嵌合溝２３とで構成されており、前記横方向に形成された嵌合溝２２は、リング部材１１の周に合わせて少し曲げてある。また、縦方向の嵌合溝２３は、ＩＣモジュール基板１のガイド１５も収容できるように少し大きめに構成してあり、ＩＣモジュール基板１を取り付けたリング部材１１を嵌合できるようになっている。
【００２９】
また、蓋部材２１は、裏側にスペーサ部２４が形成されている。前記スペーサ部２４は、図１のように、一方（図では上方）を開放した中空内にＴ字型の押さえ２５を設けたもので、ＩＣモジュール基板１が剥き出しにならないようにカバーし、かつ、中空内に収容したＩＣモジュール基板１を固定できるようになっている。
【００３０】
この形態は上記のように構成されており、このＩＣリング１０は、アンテナ線１４をリング部材１１に巻回し、巻回したアンテナ線１４をリング部材１１の溝１６を介して配線し、ガイド１５に配置したＩＣモジュール基板１に、半田付け、圧接、圧着、ラッピング、その他の接合方法を使って取り付ける（ここでは半田付け）。
【００３１】
こうしてアンテナ線１４とＩＣモジュール基板１の取り付けの終わったリング部材１１は、コネクター部材１２へ取り付ける。
【００３２】
この取り付けは、リング部材１１のＩＣモジュール基板１を取り付けた部分をコネクター部材１２の嵌合溝２２、２３に嵌め合わせる。すなわち、リング部分を横向きの嵌合溝２２に嵌め、ＩＣモジュール基板１は、縦向きの嵌合溝２３に嵌める。その際、ＩＣモジュール基板１は、図３のように、ベース２０に接するようにして嵌めたのち、蓋部材２１を取り付ける。
【００３３】
このとき、アンテナ線１４は、リング部材１１によって支持されておりリング部材１１と一体となっている。そのため、リング部材１１を取扱うことで、アンテナ線１４を扱うことができる。したがって、細いアンテナ線１４を直に扱うよりも大幅に取扱いが容易になり、従って、断線も起こしにくく、組み立て時の歩留りも向上する。
【００３４】
そして、蓋部材２１を取り付けると、蓋部材２１のスペーサ部２４がＩＣモジュール基板１を圧接して固定し、振動などによってアンテナ線１４との接続は外れない。
【００３５】
そのため、ＩＣモジュール基板１とアンテナ線１４との接合は、スペーサ部２４に圧接されてもベース２０に固定できるように、少し余裕を与えておくのが好ましい。
【００３６】
こうして組み立てたＩＣリング１０は、取り付け紐（この形態のものでは）１７を、例えば携帯電話やカバンなどに取り付けて使うことができる。このとき、リング部材１１にラッピングなどを施せば、見た目も良くなる。また、リング部材１１に手を通せるようにしておけば、ストラップの代わりとして使うこともできる。
【００３７】
このように、携帯電話に付けて使うようにすれば、紛失することも少なく、また、携行するのを忘れることも少ない。
【００３８】
その際、機能は、従来のＩＣカードと同様に認証機能、決裁機能及び暗号機能を使った例えば、社員証、学生カードなどのＩＤカードや銀行カード、クレジットカード、プリペイドカードなどの決裁カードあるいは、データキャリアとして使うことができる。
【００３９】
なお、この形態では、コネクター部材１２に取り付け紐１７を付けたものを示したが、これに限定されるものではなく、取り付け紐１７に代えて、後述の第２実施形態（例えば、図４）に示すようなストラップ１８を付けて、ＩＣリング１０を首から下げたり、ストラップ１８をハンドストラップとして手に通して携行できるようにしてもよい。このようにしても紛失を防ぐことができる。
【００４０】
第２実施形態として、図４乃至図６に示すように、コネクター部材１２に、取り付け紐１７あるいはストラップベルト１８を取り付けたプラグ部材２６を着脱自在にできるようにしたものを示す。
【００４１】
例えば、図４に示すプラグ部材２６は、ストラップ１８（図ではネックストラップであるが、ハンドストラップでも可）が取り付けられた係止部２７と連結部２８とで構成されており、連結部２８は、両側がストッパーになった錨状をしている。
【００４２】
一方、コネクター部材１２は、先端面に嵌入孔２９を設けるとともに、切欠３０を両サイドに形成してある。
【００４３】
そのため、プラグ部材２６の連結部２８を、コネクター部材１２の嵌入孔２９に差し込むと、差し込んだ際に嵌入孔２９の内壁によって抑えられていた両側のストッパーが切欠３０で開放されて開き、係合して留まるようになっている。
【００４４】
また、こうして留められたプラグ部材２６を取り外す場合は、ストッパーを押して切欠３０との係合を解除すれば簡単に引き抜ける。
【００４５】
このようにプラグ部材２６を着脱自在にすることにより、プラグ部材２６を取り替えることで、図４や図５に示すように、取り付け紐１７とストラップ１８を取り替えることができるので、例えば、ＩＣリング１０を首から下げたり、鞄や携帯電話に付けたりが簡単にできるため、紛失したり、忘れたりするのを防止できる。
【００４６】
なお、他の構成は、図６に示すように、第１実施形態と同じなので（図４のものも同様）、それらについての説明は省略する。
【００４７】
【発明の効果】
この発明は、以上のように構成したことにより、アンテナ線が断線を起こし難いようにできる。また、使い勝手が良く、紛失なども起こし難いようにできる。
【図面の簡単な説明】
【図１】第１実施形態の分解斜視図
【図２】第１実施形態の要部の正面図
【図３】第１実施形態の作用説明図
【図４】第２実施形態の正面図
【図５】第２実施形態の他の態様の正面図
【図６】図５の分解斜視図
【図７】従来例の一部切欠図
【符号の説明】
１　ＩＣモジュール基板
２　アンテナ
１０　ＩＣリング
１１　リング部材
１２　コネクター部材
１４　アンテナ線
１５　ガイド
１７　取り付け紐
１８　ストラップ
１９　ホルダー部
２１　蓋部材
２２　横方向の溝
２３　縦方向の溝
２４　スペーサ部
２６　プラグ部材
２７　係止部
２８　連結部
２９　嵌入孔
３０　切欠
【図１】
2004062382.tif 000003
【図２】
2004062382.tif 000004
【図３】
2004062382.tif 000005
【図４】
2004062382.tif 000006
【図５】
2004062382.tif 000007
【図６】
2004062382.tif 000008
【図７】
2004062382.tif 000009